(57)【要約】本発明は、マスタ無線通信端末の周囲に規定された大きさのゾーンにおける、周辺無線通信モジュールの存在または非存在を決定する方法に関し、無線通信端末およびモジュールは、ブルートゥース（登録商標）型の無線通信プロトコルに従い、アプリケーションプログラムに依存して動作し、該プロトコルは、端末によるデータの受信が不完全またはエラーである場合に、モジュールから該データを再送信するための手段を有し、これは、最大のリトライ時間の間そのように動作し、最大のリトライ時間の過程においてすべての該データの受信が適正でない場合、該データは受信されているとみなされず、データ交換は伝送エラー率によって特徴付けられる。
2009534894.tif 000002
【特許請求の範囲】
【請求項１】
無線通信マスタ端末の周囲に規定された大きさのゾーンにおける、無線通信周辺モジュールの存在または非存在の決定のための方法であって、
該端末および該無線通信モジュールは、無線通信ブルートゥース（登録商標）型プロトコルに従い、アプリケーションプログラムの制御下でデータを交換し、かつ動作し得、
該無線通信プロトコルは、該端末によるデータの受信が不完全またはエラーである場合に、再テストの決定された最大の時間の間、該モジュールからの該データの再伝送のための手段を有し、
すべての該データの受信が、該再テストの最大の時間の間において適正な場合にのみ、該データは受信されたとみなされ、
該データ交換は、該データのブロックのサイズ、放射電力上の制限および該機器の間の距離に基づいた、少なくとも１つの伝送の妥当性検証までの多くの再伝送によって特徴付けられ、該マスタ端末（１）による該周辺モジュール（２）の存在の認識の後、時刻Ｔ０において、該マスタ端末は、テストデータブロックに対する要求を該モジュールに送り、次いで、決定された持続期間Ｄの間、規定されたサイズの該テストデータブロックの受信に対して待機するということにおいて特徴付けられ、
該周辺モジュールは、該テストデータブロックに対して一定の放射電力上の制限を有し、該決定された持続期間Ｄの間の該端末による該テストデータブロックの該適正な受信は、該規定された大きさのゾーンにおける該モジュールの存在を示す、
方法。
【請求項２】
前記ゾーンの前記規定された大きさは、前記テストデータブロックに対する前記周辺モジュールの前記放射電力上の制限の事前の選択によって決定が行われ、選択されるということにおいて特徴付けられる、請求項１に記載の方法。
【請求項３】
前記周辺モジュールの前記放射電力上の制限は、該モジュール自身の前記選択手段によって直接選択されるということにおいて特徴付けられる、請求項２に記載の方法。
【請求項４】
前記周辺モジュールの前記放射電力上の制限は、前記マスタ端末上で選択され、該選択は、該モジュールに送信されるということにおいて特徴付けられる、請求項１または請求項２に記載の方法。
【請求項５】
前記マスタ端末と前記周辺モジュールとの間の距離は、前記決定方法の繰り返しの間に該周辺モジュールの前記放射電力上の制限を変えながら該決定方法を繰り返すことによって、該マスタ端末上で概算されるということにおいてさらに特徴付けられ、場合によって可能または不可能である、前記テストデータブロックの適正な受信からの該放射電力上の制限レベルが、該距離の推定を与える、請求項３に記載の方法。
【請求項６】
前記テストデータブロックは、前記モジュールによって送信され、前記端末と該モジュールとの間の認識に必要なデータの数より多い数のデータを含むということにおいて特徴付けられる、請求項１〜請求項５のうちの１項に記載の方法。
【請求項７】
データの数が互いに異なるいくつかのテストデータブロックが存在し、前記ブロックは、モニタリングされる前記決定されたゾーンの大きさに従う決定に用いるために選択されるということにおいてさらに特徴付けられる、請求項６に記載の方法。
【請求項８】
前記決定方法が時間にわたって繰り返され、前記マスタ端末が警告を生成する手段を含み、選択に従って、該警告は、前記モジュールが前記ゾーンを去ることにより前記ブロックの前記適正な受信がもはや可能でない場合か、または該モジュールが該ゾーン内に入り込むことにより該ブロックの受信が可能になる場合のいずれかにおいて生成されるということにおいて特徴付けられる、請求項１〜請求項７のうちの１項に記載の方法。
【請求項９】
規定された大きさのゾーンにおける無線通信機器の存在または非存在の決定方法の実装のためのシステムであって、
該システムは、１つの無線通信マスタ端末および少なくとも１つの無線通信周辺モジュールを含むことにおいて特徴付けられ、
該規定されたゾーンの大きさは、該無線通信マスタ端末の周囲にあり、該無線通信機器は、該無線通信周辺モジュールであり、該端末および該無線通信モジュールは、ブルートゥース（登録商標）型無線通信プロトコルに従い、アプリケーションプログラムの制御下でデータを交換し、かつ動作し得、
該無線通信プロトコルは、該端末による該データの受信が不完全またはエラーである場合に、再テストの決定された最大の時間にわたる、該モジュールからのデータ再伝送のための手段を有し、すべての該データの受信が、該再テストの最大の時間にわたって適正な場合にのみ、該データは受信されたとみなされ、
該データ交換は、データブロックのサイズ、放射電力上の制限および該機器の間の距離に基づいた、少なくとも１つの伝送の妥当性検証までの多くの再伝送によって特徴付けられ、
該機器はまた、請求項１〜請求項８のうちの１項に記載の方法の実行のためのいくつかの手段を含み、
該マスタ端末による該周辺モジュールの存在の認識の後、時刻Ｔ０において、該マスタ端末は、テストデータブロックに対する要求を該モジュールに送り、次いで、決定された持続期間Ｄの間、規定されたサイズの該テストデータブロックの受信に対して待機し、
該周辺モジュールは、該テストデータブロックに対して一定の放射電力上の制限を有し、該決定された持続期間Ｄの間の該端末による該テストデータブロックの該適正な受信は、該規定された大きさのゾーンにおける該モジュールの存在を示す、
システム。
【請求項１０】
無線通信モジュールであって、該無線通信モジュールは、腕時計のような周辺モジュールであり、請求項９に記載のシステムにおいて動作し、請求項１〜請求項８のうちの１項に記載の方法に従い動作するためのいくつかの手段を含むことにおいて特徴付けられる、無線通信モジュール。
【請求項１１】
請求項１〜請求項８のうちの１項に記載の方法のアプリケーションであって、腕時計として携行される前記周辺モジュールを有する人物の動きをモニタリングすることにおいて特徴付けられる、アプリケーション。
【発明の詳細な説明】
【技術分野】
【０００１】
本発明は、無線通信端末の付近における無線通信モジュールの存在に対する決定方法およびシステム、ならびに適応されるモジュールに関する。それは、モニタリングおよび安全対策の領域においていくつかのアプリケーションを有し、特に、一人物によってモジュールが携行され、その人物の動きを、もう一人の人物がモニタリングすることを望む場合においてアプリケーションを有する。
【発明の開示】
【発明が解決しようとする課題】
【０００２】
人々の位置をかなり正確に知ることを可能にする、例えばＧＰＳまたはＧＳＭなどのシステムは公知である。しかし、それらのシステムが、むしろ広域での位置決めに対して指向されており、小さな距離での動きの場合に比較的より正確でないという事実は別として、これらのシステムは、高価であり、比較的かさばる。
【課題を解決するための手段】
【０００３】
本発明は、標準化された、低価格および低消費電力（ｌｏｗ  ｃｏｎｓｕｍｐｔｉｏｎ）の無線通信機器を用いることを提案し、限定された環境において、人物の位置（または物体の位置）を知ることを可能にする。例えばその無線通信機器は、無線通信モジュールを、特に腕時計の形式において携行する子供をモニタリングするために用いられ得、子供が、無線通信端末から離れ過ぎて移動するか、または一方で近づき過ぎる場合に、警告の生成を可能にする。それは、いくつかの伝送プロトコルが、伝送における失敗またはエラーの場合に再伝送を行う手段を有し、（伝送が最終的に適正となる）妥当性検証までの伝送の数における変動が、他のパラメータ、特に、放射電力の制限、受信器感度、符号化方法、雑音などが一定の状況で、距離に基づき存在するという事実に基づいている。
【０００４】
本発明が作動するために、妥当性検証までの再伝送の数のこの特徴付けは、必ずしも正確に知られている必要はないが、再伝送の数が正確に知られている場合、そのことは、距離の評価を正確にすることを可能にし得る。再伝送の数は、演繹的に（ｐｒｉｏｒｉ）正確に知られるか、またはその最終的な作動環境におけるシステムの較正によって、より良好に帰納的に（ｐｏｓｔｅｒｉｏｒｉ）知られ得る。
【０００５】
従って、本発明は、無線通信マスタ端末の周囲に規定された大きさのゾーンにおける、無線通信周辺モジュールの存在または非存在の決定方法に関する。無線通信端末およびモジュールは、ブルートゥース（登録商標）型無線通信プロトコルに従い、アプリケーションプログラムの制御下でデータを交換し、かつ動作し得る。無線通信プロトコルは、端末による上記データの受信が不完全またはエラーである場合に、モジュールからデータを送信するためのなんらかの手段を有し、再テストの決定された最大の時間の間そのように動作する。すべてのデータの受信が、再テストの最大の時間の間において適正な場合にのみ、データは受信されたとみなされる。データ交換は、データブロックのサイズ、放射電力の制限および機器の間の距離に基づいた、少なくとも伝送の妥当性検証までの多くの再伝送によって特徴付けられる。
【０００６】
本発明に従うと、マスタ端末による周辺モジュールの存在の認識の後、時刻Ｔ０において、マスタ端末は、テストデータブロックに対する要求をモジュールに送り、次いで、決定された持続期間Ｄの間、規定されたサイズの上記テストデータブロックの受信に対して待機する。周辺モジュールは、テストデータブロックに対して、一定の放射電力上の制限を有する。決定された持続期間Ｄの間の端末による上記テストデータブロックの適正な受信は、規定された大きさのゾーンにおけるモジュールの存在を示す。
【０００７】
本発明の様々な実施形態のモードにおいて、以下のリソースは、単独またはすべての技術的に可能な組合せに従って用いられ得る。
−  マスタ端末は、無線通信インターフェイスを有するマイクロコンピュータである。
−  マスタ端末は、無線通信インターフェイスを有するパーソナルデータアシスタント（ＰＤＡ）である。
−  マスタ端末は、無線通信インターフェイスを有するセル式電話である。
−  マスタ端末は、マイクロプロセッサまたはマイクロコントローラを含む専用デバイスであり、無線通信インターフェイスを有する。
−  周辺モジュールは、腕時計内にある（手首またはアンクレット（ａｎｋｌｅｔ））。
−  周辺モジュールは、ブローチ内にある。
−  周辺モジュールは、ペンダント内にある（首の周囲のネックレス）。
−  決定された持続期間Ｄは、再テストのための最大の時間以上の値を有する。
−  決定された持続期間Ｄは、１秒と６秒との間の値である。
−  決定された持続期間Ｄは、好ましくは１秒と２秒との間の値である。
−  規定されたゾーンの大きさは、テストデータブロックに対する周辺モジュールの放射電力上の制限の事前の選択によって決定が行われ、選択される（ゾーンの大きさが小さい場合、最も高い電力上の制限が選択され、ゾーンの大きさが大きい場合、最も低い電力上の制限が選択される）。
−  規定されたゾーンの大きさは、１つの距離間隔に対応する。
−  端末およびモジュールは、最大距離に至るまで互いを認識し得、決定は、最大距離内に含まれる５つの連続的なゾーンの選択によって行われる。
−  最大距離は、およそ３０ｍである。
−  距離間隔は、３ｍ、７ｍ、１０ｍ、１５ｍ、２０ｍ、３０ｍ、の位置指標によって粗く区切られる。
−  周辺モジュールの放射電力上の制限は、モジュール自身の選択によって直接選択される。
−  周辺モジュールの、端末に送信される放射電力上の制限は、モジュールの選択によって直接行われる。
−  周辺モジュールの放射電力上の制限は、マスタ端末上で選択され、その選択は、モジュールに送信される。
−  マスタ端末と周辺モジュールとの間の、マスタ端末上における距離は、決定方法の繰り返しの間に周辺モジュールの放射電力上の制限を変えながら、決定方法を繰り返すことによってさらに概算される。場合によって可能または不可能である、テストデータブロックの適正な受信からの放射電力レベル上の制限は、距離の評価を与える。
−  テストデータブロックは、モジュールによって送信され、端末とモジュールとの間の認識に必要なデータの数より多い数のデータを含む。
−  テストデータブロックは、約６４〜約１２８バイトのサイズを有する。
−  さらに、データ（バイト）の数において互いに異なるいくつかのテストデータブロックが存在し、用いられるブロックは、モニタリングされる決定されたゾーンの大きさに従い、決定のために選択される（好ましくは、ゾーンの大きさが小さい場合、より多くのデータを含むブロックを用いる）。
−  距離間隔は、およそ３ｍ、７ｍ、ｌ０ｍ、１５ｍ、２０ｍ、３０ｍ、の位置指標によって区切られる。テストデータブロックのバイトの数によって互いに異なる２つのテストデータブロックが存在し、より少ないデータを有するブロックが、３０ｍと１５ｍとの間において用いられ、より多くのデータを有するブロックが、１５ｍと３ｍとの間において用いられる。
−  決定方法が時間にわたって繰り返され、マスタ端末が警告を生成する手段を含み、選択に従って、警告は、モジュールがゾーンを去ることによりブロックの適正な受信がもはや（再テストの所与の時間内に）可能でない場合か、またはモジュールがゾーン内に入り込むことによりブロックの受信が可能になる場合のいずれかにおいて生成される。
−  モジュールがゾーンを去ることによりブロックの適正な受信がもはや可能でない場合に、マスタ端末は、周辺モジュールの存在に対する新しい検索を実行し、生成される警告は、認識が可能であるか否かに依存して異なる（実際上ゾーンを去るモジュールは別として、その他の場合に、検索は停止され得る／ゾーンの大きさは変更される）。
−  モジュールがゾーンを去ることによりブロックの適正な受信がもはや可能でない場合に、マスタ端末は、周辺モジュールの存在に対する新しい認識をさらに実行し、認識が可能な場合にのみ、警告が生成される。
−  一組のモジュールがマスタ端末の動作環境に存在し、認識の時点において、モニタリングされなければならない各モジュールが識別され、決定は、モニタリングされるべき、上記モジュールのそれぞれに対して具体的になされる。
【０００８】
本発明はまた、規定された大きさのゾーンにおける無線通信機器の存在または非存在の決定方法の実施形態のためのシステムに関し、このシステムは、１つのマスタ無線通信端末および少なくとも１つの無線通信周辺モジュールを含むことにおいて特徴付けられる。規定されたゾーンの大きさは、無線通信マスタ端末の周囲にあり、無線通信機器は、無線通信周辺モジュールである。端末および無線通信モジュールは、ブルートゥース（登録商標）型無線通信プロトコルに従い、アプリケーションプログラムの制御下でデータを交換し、かつ動作し得る。無線通信プロトコルは、端末による上記データの受信が不完全またはエラーである場合に、再テストの決定された最大の時間の間、モジュールからデータを送信する手段を有し、すべてのデータの受信が、再テストの最大の時間の間において適正な場合にのみ、データブロックは受信されたとみなされる。データ交換は、データブロックのサイズ、放射電力および機器の間の距離に基づいた、少なくとも（１回の）伝送の妥当性検証までの多くの再伝送によって特徴付けられ、該機器は、上記の特性の１つ以上に従う方法の実行のためのなんらかの手段を含み、マスタ端末による周辺モジュールの存在の認識の後、時刻Ｔ０において、マスタ端末は、テストデータブロックに対する要求をモジュールに送り、次いで、決定された持続期間Ｄの間、規定されたサイズの上記テストデータブロックの受信に対して待機する。周辺モジュールは、テストデータブロックに対して、一定の放射電力上の制限を有する。決定された持続期間Ｄの間の端末による上記テストデータブロックの適正な受信は、規定された大きさのゾーンにおけるモジュールの存在を示す。
【０００９】
本発明はまた、無線通信モジュールに関係し、その無線通信モジュールは、腕時計のような周辺モジュールであり、それは、上記システムにおいて動作し、上記方法に従い動作し、上記方法のすべての変形において動作するためのいくつかの手段を含んでいる。
【００１０】
本発明は、最終的に、腕時計として上記周辺モジュールを携行する人物の動きのモニタリングのための上記方法のすべての変形におけるアプリケーションに関する。
【００１１】
本発明はここで、それが制限されない範囲において、添付の図面との関連における以下の説明によって例証される。
【発明を実施するための最良の形態】
【００１２】
図１からのマスタ端末１はこの場合に、アプリケーションプログラムを有するパーソナルデータアシスタント（ＰＤＡ）型のプログラム可能なコンピュータデバイスであり、ブルートゥース（登録商標）型プロトコルに従う無線通信の手段を含んでいる。一変形において、ブルートゥース（登録商標）型プロトコルに従う無線通信の手段を有するアプリケーションを介してプログラム可能な電話機が用いられ得る。マスタ端末は、図１の閉曲線５によって区切られたマスタ端末の環境に持ち込まれる、すべての互換性のある無線通信機器の存在を検出し得、識別し得る。そのような機器の１つは、動きが監督されなければならない人物３によって携行される腕時計内の周辺モジュール２という形式においてすでに存在する。モジュールは、端末によって識別されており、端末の周囲に規定された大きさのゾーンにおけるモジュール２の存在または非存在の決定によるモニタリングのためのデータ交換が、取得された識別を用いて具体的になされようとしている。端末の周囲に規定されたゾーンの大きさは、曲線５内に示された閉曲線４によって図１において区切られる。テストデータブロックの放射電力は、それの結果として選択されている。モニタリングするときに、本質的に端末が、規則的に（決定された再テストの最大の時間よりわずかに大きい定期的な時間に）モジュールに対して要求を送ることにより、モジュールは、選択された放射電力上の制限を有しテストデータブロックを返す。モジュールによるブロックの受信が適正な間、これは人物がゾーンを去る前の場合であり、モジュールは、ゾーン内にあるとみなされる。図１において、人物がゾーンを去り、いくつかの再テストを引き起こした受信の連続的な失敗による伝送にもかかわらず、端末が、再テストの最大の決定された時間内にブロックを適正に首尾よく受信せず、そのためにシステムは、モジュールがゾーンを去ったとみなすことになる。離れるときの検出、または反対に近づくときの検出のモニタリングモードに従い、警告は、受信が不可能となったときか、または適正な受信の発生のときにトリガされる。この後者の場合は、例えばキッチン内の子供の場合に有用であり得、端末が４つの表面料理用リング（ｆｏｕｒ  ｓｕｒｆａｃｅ  ｃｏｏｋｉｎｇ  ｒｉｎｇｓ）との関係にあり、オーブンが熱いか、またはプレートが熱い場合に、子供の接近が、これらの場合においてのみ警告を引き起こす。
【００１３】
伝送が空間においてなされると、ゾーンの大きさまたは距離の間隔は、同じテストデータブロックに対して、放射電力の関数として線形に分配されず（変化の３乗）、ゾーンの大きさまたは距離間隔が線形であることを所望する場合、変化の３乗に従って電力の制限を変えるか、またはテストデータブロックを改変（より長く、より短く、より複雑に、またはより簡潔に）し得る（伝送の妥当性検証までの再伝送の、平均より大きい別の数を有するブロックの使用である）。
【００１４】
本発明の包括的な範囲を逸脱することなく、実施形態の他の代替、および方法の他のアプリケーションの代替が可能であり、具現されることが理解される。特に、端末による上記データの受信が不完全またはエラーである場合に、再テストの決定された最大の時間の間、モジュールからのデータの再同報通信のためのなんらかの手段を有する別の無線通信プロトコルの実装が可能である。すべてのデータの受信が再テストの最大の時間の間において適正な場合にのみ、データは受信されたとみなされる。マスタ端末は、他のデバイスに接続され得、詳しくは、様々なデバイスをトリガするための、警告のリモート伝送である。動物とのいくつかのアプリケーションは、歩き回る場合に警告を生成するようになされ得る。最後に、異なる再伝送の数を有するための代替としてまたはテストデータブロックのサイズの改変との組合せにおいて、等しいサイズ（および放射電力の制限、距離などの他のパラメータも等しい）で、すべての可能性のあるブロックの平均より多い再伝送を引き起こす、テストデータブロックが存在する場合に、そのテストデータブロックは、より大きい再伝送の数を有するこれらのブロックが、本発明の方法の実行に用いられ得る。
【図面の簡単な説明】
【００１５】
【図１】図１は、動きが監督されなければならない人物によって携行される周辺モジュールと対話するマスタ端末を有するモニタリングシステムを概略的に表す。
【図１】
2009534894.tif 000003
【国際調査報告】
2009534894.tif 000004
2009534894.tif 000005
2009534894.tif 000006
2009534894.tif 000007
2009534894.tif 000008
2009534894.tif 000009